(57)【要約】【課題】原稿読み取り手段であるセンサーに接続されたフレキシブルフラットケーブルであるＦＦＣの湾曲反転部の曲げ半径が小さいと、センサーがケーブルから反力を受けて姿勢が不安定となったり、ケーブルの寿命が短くなるなどの問題が生じる場合がある。しかし、曲げ半径を大きくとると原稿読み取りユニットの厚みが増してしまい、装置が大型化してしまう。【解決手段】記録装置は、記録ユニットと、記録ユニットの上部に設けられた原稿読み取りユニットとを備えている。記録ユニットは、媒体給送部とキャリッジとを備え、原稿読み取りユニットは、ハウジングと、読み取り手段の移動に伴って変形するＦＦＣとを備えている。ハウジングは鉛直下方に突出する突出部を有し、突出部の内部に形成された領域に、ＦＦＣが配置され、突出部が、媒体搬送方向において媒体給送部とキャリッジの移動領域との間の領域に上方から入り込む。【選択図】図９
2020156011.tif 000002
【特許請求の範囲】
【請求項１】
媒体に記録を行う記録ヘッドを備えた記録ユニットと、
前記記録ユニットの上部に設けられ、原稿を載置する原稿載置部及び前記原稿載置部に対し所定方向に移動しつつ前記原稿を読み取る読み取り手段を備えた原稿読み取りユニットと、を備え、
前記記録ユニットは、前記記録ヘッドに対して装置後方上部に載置された前記媒体を給送する媒体給送部と、
前前記記録ヘッドを有するとともに前記媒体の搬送方向と交差する方向に移動可能なキャリッジと、を備え、
前記原稿読み取りユニットは、前記読み取り手段を収容し、鉛直下方に突出する突出部を有するハウジングと、
前記読み取り手段に接続されるとともに前記読み取り手段の移動に伴って変形し、前記突出部の内部に形成された領域に配置されたフレキシブルフラットケーブルと、を備え、
前記突出部が、前記搬送方向において前記媒体給送部と前記キャリッジの移動領域との間の領域に上方から入り込む、
ことを特徴とする記録装置。
【請求項２】
請求項１に記載の記録装置において、前記媒体給送部は、前記媒体を給送する給送ローラーを備え、
前記給送ローラーの少なくとも一部と前記原稿読み取りユニットの一部とが、前記搬送方向及び鉛直方向において同じ範囲にある、
ことを特徴とする記録装置。
【請求項３】
請求項２に記載の記録装置において、前記ハウジングにおいて前記媒体給送部と対向する位置に凹部が形成され、
前記凹部に前記給送ローラーが入り込むことで、前記給送ローラーの少なくとも一部と前記原稿読み取りユニットの一部とが前記搬送方向及び鉛直方向において同じ範囲に位置している、
ことを特徴とする記録装置。
【請求項４】
請求項２または請求項３に記載の記録装置において、前記給送ローラーより鉛直下方の位置に、前記給送ローラーとの間で前記媒体をニップして分離する分離ローラーを備え、
前記分離ローラーの少なくとも一部と前記原稿読み取りユニットの一部とが、前記搬送方向及び鉛直方向において同じ範囲にある、
ことを特徴とする記録装置。
【請求項５】
請求項２から請求項４のいずれか一項に記載の記録装置において、前記給送ローラーの少なくとも一部と前記フレキシブルフラットケーブルの少なくとも一部とが、鉛直方向において同じ範囲にある、
ことを特徴とする記録装置。
【請求項６】
請求項２から請求項５のいずれか一項に記載の記録装置において、前記読み取りユニットは、前記読み取り手段の動力源であるモーターを備え、
前記給送ローラーの少なくとも一部と、前記キャリッジの一部と、前記モーターの少なくとも一部とが、鉛直方向において同じ範囲にある、
ことを特徴とする記録装置。
【請求項７】
請求項１から請求項６のいずれか一項に記載の記録装置において、前記ハウジングは、前記突出部の内側の底面に対して前記搬送方向とは逆方向に、前記逆方向に向かって上昇する傾斜面を有し、
前記傾斜面の裏面側に、前記媒体給送部の一部が配置される、
ことを特徴とする記録装置。
【請求項８】
請求項７に記載の記録装置において、前記突出部の内側の底面に、前記フレキシブルフラットケーブルの一部を固定するケーブル固定部が設けられ、
前記フレキシブルフラットケーブルは、前記ケーブル固定部から前記読み取り手段の移動方向の一方向である第１方向に延び、湾曲反転して前記第１方向とは逆の第２方向に延びて前記読み取り手段に接続され、前記読み取り手段の移動に伴って変形する変形区間と、
前記ケーブル固定部から前記第１方向または前記第２方向に延びる固定区間と、を有し、
前記固定区間は、前記変形区間より前記媒体給送部に近い位置に配置され、
前記フレキシブルフラットケーブルの前記固定区間が、前記傾斜面に沿って配される、
ことを特徴とする記録装置。
【請求項９】
媒体に記録を行う記録ヘッド、及び前記記録ヘッドに対して装置後方上部に載置された前記媒体を給送する媒体給送部を備えた記録ユニットと、
前記記録ユニットの上部に設けられ、原稿を載置する原稿載置部及び前記原稿載置部に対し所定方向に移動しつつ前記原稿を読み取る読み取り手段を備えた原稿読み取りユニットと、を備え、
前記媒体給送部の一部が、前記原稿読み取りユニットの後側面を延長した仮想面と、前記原稿読み取りユニットにおける、前記後側面の近傍位置の後側底面を延長した仮想面と、が交差する交差位置よりも、前記原稿読み取りユニットの内側に配置される、
ことを特徴とする記録装置。
【請求項１０】
請求項９に記載の記録装置において、前記前記原稿読み取りユニットは、前記読み取り手段を収容し、鉛直下方に突出する突出部を有するハウジングと、
前記読み取り手段に接続されるとともに前記読み取り手段の移動に伴って変形し、前記突出部の内部に形成された領域に配置されたフレキシブルフラットケーブルと、を備え、
前記後側底面は、前記フレキシブルフラットケーブルが配置される位置の底面である、
ことを特徴とする記録装置。
【請求項１１】
請求項１０に記載の記録装置において、前記媒体給送部は、前記媒体を給送する給送ローラーを備え、
前記給送ローラーの少なくとも一部が前記交差位置よりも、前記原稿読み取りユニットの内側に配置される、
ことを特徴とする記録装置。
【請求項１２】
請求項１０または請求項１１に記載の記録装置において、前記ハウジングは、前記後側底面に対して前記媒体の搬送方向とは逆方向に、前記逆方向に向かって上昇する傾斜面を有し、
前記傾斜面の裏面側に、前記媒体給送部の一部が配置される、
ことを特徴とする記録装置。
【請求項１３】
請求項１２に記載の記録装置において、前記後側底面に、前記フレキシブルフラットケーブルの一部を固定するケーブル固定部が設けられ、
前記フレキシブルフラットケーブルは、前記ケーブル固定部から前記読み取り手段の移動方向の一方向である第１方向に延び、湾曲反転して前記第１方向とは逆の第２方向に延びて前記読み取り手段に接続され、前記読み取り手段の移動に伴って変形する変形区間と、
前記ケーブル固定部から前記第１方向または前記第２方向に延びる固定区間と、を有し、
前記固定区間は、前記変形区間より前記媒体給送部に近い位置に配置され、
前記フレキシブルフラットケーブルの前記固定区間が、前記傾斜面に沿って配される、
ことを特徴とする記録装置。
【発明の詳細な説明】
【技術分野】
【０００１】
本発明は、媒体に記録を行う記録ユニット、及び原稿を読み取る原稿読み取りユニットを備えた記録装置に関する。
【背景技術】
【０００２】
媒体に記録を行う記録ユニットと、原稿を読み取る原稿読み取りユニットとを備えた記録装置は従来から知られており、複合機とも呼ばれることがある。この様な記録装置の一例が、特許文献１に示されている。
【先行技術文献】
【特許文献】
【０００３】
【特許文献１】特開２０１４−１９６１７３号公報
【発明の概要】
【発明が解決しようとする課題】
【０００４】
原稿読み取りユニットがフラットベッド型である場合、読み取り手段であるセンサーが原稿台の下を所定方向に移動する。センサーには電気信号を送受信する為のケーブルが接続されており、多くの場合、フレキシブルフラットケーブルと呼ばれる、平坦で且つ可撓性を有するケーブルが用いられる。フレキシブルフラットケーブルには湾曲して反転する湾曲反転部が形成され、センサーの移動動作に伴って湾曲反転部の位置が変化する様に配線されている。  
このため湾曲反転部の曲げ半径が小さいと、センサーがケーブルから反力を受けて姿勢が不安定となったり、ケーブルの寿命が短くなるなどの問題が生じる場合がある。従って湾曲反転部の曲げ半径は極力大きいほうが好ましいが、曲げ半径を大きくとると原稿読み取りユニットの厚みが増してしまい、装置が大型化してしまうという弊害が生じる。
【課題を解決するための手段】
【０００５】
上記課題を解決する本発明の記録装置は、媒体に記録を行う記録ヘッドを備えた記録ユニットと、前記記録ユニットの上部に設けられ、原稿を載置する原稿載置部及び前記原稿載置部に対し所定方向に移動しつつ前記原稿を読み取る読み取り手段を備えた原稿読み取りユニットと、を備え、前記記録ユニットは、前記媒体を給送する媒体給送部と、前記媒体給送部に対し前記記録ヘッドと対向する領域での前記媒体の搬送方向に所定の間隔を置いて設けられ、前記記録ヘッドを有するとともに前記搬送方向と交差する方向に移動可能なキャリッジと、を備え、前記原稿読み取りユニットは、前記読み取り手段を収容するハウジングと、前記読み取り手段に接続されるとともに前記読み取り手段の移動に伴って変形するフレキシブルフラットケーブルと、を備え、前記ハウジングは鉛直下方に突出する突出部を有し、前記突出部の内部に形成された領域に、前記フレキシブルフラットケーブルが配置され、前記突出部が、前記搬送方向において前記媒体給送部と前記キャリッジの移動領域との間の領域に上方から入り込む、ことを特徴とする。
【図面の簡単な説明】
【０００６】
【図１】プリンターの外観斜視図。
【図２】用紙サポートを展開した状態のプリンターの外観斜視図。
【図３】図２のＡ−Ａ断面図。
【図４】ＡＤＦを開き、原稿台ガラスを取り除いた状態のスキャナー部の斜視図。
【図５】スキャナー部を構成する本体部の内部の斜視図。
【図６】スキャナー部を構成する本体部の内部の斜視図。
【図７】スキャナー部を構成する本体部の断面斜視図。
【図８】図２の部分拡大図であって、適宜構成を省略及び追加した図。
【図９】図２の部分拡大図であって、適宜構成を省略及び追加した図。
【発明を実施するための形態】
【０００７】
以下、本発明について概略的に説明する。  
第１の態様に係る記録装置は、媒体に記録を行う記録ヘッドを備えた記録ユニットと、前記記録ユニットの上部に設けられ、原稿を載置する原稿載置部及び前記原稿載置部に対し所定方向に移動しつつ前記原稿を読み取る読み取り手段を備えた原稿読み取りユニットと、を備え、前記記録ユニットは、前記媒体を給送する媒体給送部と、前記媒体給送部に対し前記記録ヘッドと対向する領域での前記媒体の搬送方向に所定の間隔を置いて設けられ、前記記録ヘッドを有するとともに前記搬送方向と交差する方向に移動可能なキャリッジと、を備え、前記原稿読み取りユニットは、前記読み取り手段を収容するハウジングと、前記読み取り手段に接続されるとともに前記読み取り手段の移動に伴って変形するフレキシブルフラットケーブルと、を備え、前記ハウジングは鉛直下方に突出する突出部を有し、前記突出部の内部に形成された領域に、前記フレキシブルフラットケーブルが配置され、前記突出部が、前記搬送方向において前記媒体給送部と前記キャリッジの移動領域との間の領域に上方から入り込む、ことを特徴とする。
【０００８】
本態様によれば、前記ハウジングは鉛直下方に突出する突出部を有し、前記突出部の内部に形成された領域に、前記フレキシブルフラットケーブルが配置されるので、前記フレキシブルフラットケーブルが湾曲反転する際の半径を確保できる。そして前記突出部は、前記搬送方向において前記媒体給送部と前記キャリッジの移動領域との間の領域に上方から入り込むので、前記突出部を設けたことに起因する、装置全体の鉛直方向寸法の増大を抑制できる。
【０００９】
第２の態様は、第１の態様において、前記媒体給送部は、前記媒体を給送する給送ローラーを備え、前記給送ローラーの少なくとも一部と前記原稿読み取りユニットの一部とが、前記搬送方向及び鉛直方向において同じ範囲にあることを特徴とする。
【００１０】
本態様によれば、前記媒体給送部は、前記媒体を給送する給送ローラーを備え、前記給送ローラーの少なくとも一部と前記原稿読み取りユニットの一部とが、前記搬送方向及び鉛直方向において同じ範囲にあるので、前記媒体給送部が前記給送ローラーを備える構成において、装置全体の鉛直方向における寸法、及び前記搬送方向の寸法を抑制できる。
【００１１】
第３の態様は、第２の態様において、前記ハウジングにおいて前記媒体給送部と対向する位置に凹部が形成され、前記凹部に前記給送ローラーが入り込むことで、前記給送ローラーの少なくとも一部と前記原稿読み取りユニットの一部とが前記搬送方向及び鉛直方向において同じ範囲に位置していることを特徴とする。
【００１２】
本態様によれば、前記ハウジングにおいて前記媒体給送部と対向する位置に凹部を形成し、前記凹部に前記給送ローラーが入り込むことで、前記給送ローラーの少なくとも一部と前記原稿読み取りユニットの一部とが前記搬送方向及び鉛直方向において同じ範囲に位置する構成を容易に実現できる。
【００１３】
第４の態様は、第２のまたは第３の態様において、前記給送ローラーより鉛直下方の位置に、前記給送ローラーとの間で前記媒体をニップして分離する分離ローラーを備え、前記分離ローラーの少なくとも一部と前記原稿読み取りユニットの一部とが、前記搬送方向及び鉛直方向において同じ範囲にあることを特徴とする。
【００１４】
本態様によれば、前記給送ローラーより鉛直下方の位置に、前記給送ローラーとの間で前記媒体をニップして分離する分離ローラーを備え、前記分離ローラーの少なくとも一部と前記原稿読み取りユニットの一部とが、前記搬送方向及び鉛直方向において同じ範囲にあるので、装置全体の鉛直方向における寸法をより一層抑制できる。
【００１５】
第５の態様は、第２から第４の態様のいずれかにおいて、前記給送ローラーの少なくとも一部と前記フレキシブルフラットケーブルの少なくとも一部とが、鉛直方向において同じ範囲にあることを特徴とする。
【００１６】
本態様によれば、前記給送ローラーの一部と前記フレキシブルフラットケーブルの一部とが、鉛直方向において同じ範囲にある構成において、上述した第２から第４の態様のいずれかと同様な作用効果が得られる。
【００１７】
第６の態様は、第２から第５の態様のいずれかにおいて、前記読み取りユニットは、前記読み取り手段の動力源であるモーターを備え、前記給送ローラーの少なくとも一部と、前記キャリッジの一部と、前記モーターの少なくとも一部とが、鉛直方向において同じ範囲にあることを特徴とする。
【００１８】
本態様によれば、前記給送ローラーの少なくとも一部と、前記キャリッジの一部と、前記モーターの少なくとも一部とが、鉛直方向において同じ範囲にあるので、装置全体の鉛直方向における寸法をより一層抑制できる。
【００１９】
第７の態様は、第１から第６の態様のいずれかにおいて、前記ハウジングは、前記突出部の内側の底面に対して前記搬送方向とは逆方向に、前記逆方向に向かって上昇する傾斜面を有し、前記傾斜面の裏面側に、前記媒体給送部の一部が配置されることを特徴とする。
【００２０】
第８の態様は、第７の態様において、前記突出部の内側の底面に、前記フレキシブルフラットケーブルの一部を固定するケーブル固定部が設けられ、前記フレキシブルフラットケーブルは、前記ケーブル固定部から前記読み取り手段の移動方向の一方向である第１方向に延び、湾曲反転して前記第１方向とは逆の第２方向に延びて前記読み取り手段に接続され、前記読み取り手段の移動に伴って変形する変形区間と、前記ケーブル固定部から前記第１方向または前記第２方向に延びる固定区間と、を有し、前記固定区間は、前記変形区間より前記媒体給送部に近い位置に配置され、前記フレキシブルフラットケーブルの前記固定区間が、前記傾斜面に沿って配されることを特徴とする。
【００２１】
前記固定区間を前記変形区間に並べて配置する場合、前記固定区間において前記フレキシブルフラットケーブルを縦方向に配置すると、前記突出部の鉛直下方への突出量が必要以上に大きくなる場合があり、また逆に前記固定区間において前記フレキシブルフラットケーブルを横方向に配置すると、前記突出部の水平方向寸法が必要以上に大きくなる場合がある。  
本態様では、前記ハウジングは、前記突出部の内側において前記底面に対し傾斜角を有する傾斜面を有し、前記フレキシブルフラットケーブルの前記固定区間が、前記傾斜面に沿って配されるので、前記突出部の鉛直下方への突出量と、水平方向寸法とのバランスを取ることができ、ひいては装置寸法増大を抑制できる。
【００２２】
第９の態様に係る記録装置は、媒体に記録を行う記録ヘッド、及び前記記録ヘッドに対して装置後方上部に載置された前記媒体を給送する媒体給送部を備えた記録ユニットと、前記記録ユニットの上部に設けられ、原稿を載置する原稿載置部及び前記原稿載置部に対し所定方向に移動しつつ前記原稿を読み取る読み取り手段を備えた原稿読み取りユニットと、を備え、前記媒体給送部の一部が、前記原稿読み取りユニットの後側面を延長した仮想面と、前記原稿読み取りユニットにおける、前記後側面の近傍位置の後側底面を延長した仮想面と、が交差する交差位置よりも、前記原稿読み取りユニットの内側に配置されることを特徴とする。  
本態様によれば、装置の小型化を図ることができる。
【００２３】
第１０の態様は、第９の態様において、前記前記原稿読み取りユニットは、前記読み取り手段を収容し、鉛直下方に突出する突出部を有するハウジングと、前記読み取り手段に接続されるとともに前記読み取り手段の移動に伴って変形し、前記突出部の内部に形成された領域に配置されたフレキシブルフラットケーブルと、を備え、前記後側底面は、前記フレキシブルフラットケーブルが配置される位置の底面であることを特徴とする。
【００２４】
第１１の態様は、第１０の態様において、前記媒体給送部は、前記媒体を給送する給送ローラーを備え、前記給送ローラーの少なくとも一部が前記交差位置よりも、前記原稿読み取りユニットの内側に配置されることを特徴とする。  
本態様によれば、前記給送ローラーを備える構成において、装置の小型化を図ることができる。
【００２５】
第１２の態様は、第１０のまたは第１１の態様において、前記ハウジングは、前記後側底面に対して前記媒体の搬送方向とは逆方向に、前記逆方向に向かって上昇する傾斜面を有し、前記傾斜面の裏面側に、前記媒体給送部の一部が配置されることを特徴とする。
【００２６】
第１３の態様は、第１２の態様において、前記後側底面に、前記フレキシブルフラットケーブルの一部を固定するケーブル固定部が設けられ、前記フレキシブルフラットケーブルは、前記ケーブル固定部から前記読み取り手段の移動方向の一方向である第１方向に延び、湾曲反転して前記第１方向とは逆の第２方向に延びて前記読み取り手段に接続され、前記読み取り手段の移動に伴って変形する変形区間と、前記ケーブル固定部から前記第１方向または前記第２方向に延びる固定区間と、を有し、前記固定区間は、前記変形区間より前記媒体給送部に近い位置に配置され、前記フレキシブルフラットケーブルの前記固定区間が、前記傾斜面に沿って配されることを特徴とする。  
本態様によれば、上述した第８の態様と同様な作用効果が得られる。
【００２７】
以下、本発明を具体的に説明する。  
尚、各図においてＸ軸方向は装置幅方向であり、−Ｘ方向は装置前面をユーザーと対面させた際にユーザーから見て右方向となり、また＋Ｘ方向は同左方向となる。またＸ軸方向は、後述する記録ユニット２において記録ヘッド９と対向する領域での用紙搬送方向と交差する方向、即ち用紙幅方向となる。また、Ｘ軸方向は、後述するスキャナー部７０においてセンサーユニット７８の移動方向である。  
Ｙ軸方向は装置奥行き方向であり、＋Ｙ方向は装置背面から前面に向かう方向であり、−Ｙ方向は装置前面から背面に向かう方向である。本実施形態において装置の周囲を構成する複数の側面のうち操作部５が設けられた側面が装置前面となり、その反対の側面が装置背面となる。またＹ軸方向のうち＋Ｙ方向は、後述する記録ユニット２において記録ヘッド９と対向する領域での用紙搬送方向となる。また、Ｙ軸方向は、後述するスキャナー部７０においてセンサーユニット７８の延設方向である。  
Ｚ軸方向は鉛直方向であり、＋Ｚ方向は鉛直上方向、−Ｚ方向は鉛直下方向となる。
【００２８】
図１及び図２において記録装置の一例であるインクジェットプリンター１は、記録ユニット２の上部に、原稿読み取りユニットとしてのスキャナー部７０を備えて成る、所謂複合機である。以下、インクジェットプリンター１は、プリンター１と略称する。  
記録ユニット２は、媒体の一例である記録用紙に記録を行う機能を有し、スキャナー部７０は、原稿を読み取る機能を有する。  
スキャナー部７０は、原稿読み取り機能を有する本体部７１と、セットされた原稿を自動送りする自動原稿搬送装置（ＡＤＦ：Auto Document Feeder）７２とを備えている。
【００２９】
記録ユニット２は、記録用紙を搬送する搬送経路（後述）や記録手段の一例である記録ヘッド９（図３参照）を備えており、また、本実施形態では二つの用紙カセット、具体的には第１用紙カセット５１及び第２用紙カセット５２を着脱可能に備えている。
【００３０】
また記録ユニット２は、第１用紙カセット５１及び第２用紙カセット５２への用紙セット及びこれら用紙カセットからの用紙給送に加え、記録ヘッド９（図３参照）に対して装置後方上部に設けられた媒体給送部としての後方給送部５５（図３）への用紙セット及びこの後方給送部５５からの用紙給送も可能に構成されている。図１及び図２において符号７は後方給送部５５の上部を開閉するカバーである。
【００３１】
カバー７を開くと、図２に示す様に後方給送部５５への用紙セットが可能となる。図２において符号５８は後方給送部５５を構成するホッパー（後述）であり、符号５９は後方給送部５５を構成する、引き出し式に構成された用紙サポートである。
【００３２】
記録ユニット２は、装置前面に、プリンター１の各種操作を行う操作部５を備えている。操作部５は、表示部と複数の操作ボタンを備えて成るとともに、チルト可能に設けられている。  
操作部５の下側には、記録が行われて排出口４から排出される記録用紙を受ける排出トレイ６が設けられている。排出トレイ６は、図１及び図２に示すように記録ユニット２の内部に収容された状態と、記録ユニット２から引き出された状態（不図示）と、を取り得るように設けられている。
【００３３】
続いて図３を参照しつつ記録用紙の搬送経路について説明する。尚、図３では第２用紙カセット５２の図示は省略し、また自動原稿搬送装置７２の詳細な図示は省略する。  
記録ユニット２において、記録用紙は給送経路に拘わらず反転経路ＲＲを構成する反転ローラー２１を介して搬送駆動ローラー１６に搬送され、搬送駆動ローラー１６によって、記録ヘッド９による記録領域に搬送される。
【００３４】
より詳しくは、プリンター１は用紙給送経路として第１用紙カセット５１から記録用紙を給送する為の用紙給送経路Ｋ１と、第１用紙カセット５１の下の第２用紙カセット５２から記録用紙を給送する為の用紙給送経路Ｋ２と、後方給送部５５から記録用紙を給送する為の用紙給送経路Ｋ３と、を備えている。
【００３５】
またプリンター１は用紙搬送経路として、記録ヘッド９と対向する用紙搬送経路であって記録用紙に記録を行う際の用紙搬送方向である＋Ｙ方向及びその反対の−Ｙ方向に記録用紙を搬送可能な第１用紙搬送経路ＦＲ１と、記録用紙の面を反転させる反転経路ＲＲと、記録が行われた記録用紙を反転経路ＲＲに案内する第２用紙搬送経路ＦＲ２と、第２用紙搬送経路ＦＲ２に対して鉛直下方に位置し、記録が行われた記録用紙を反転経路ＲＲに案内する、第２用紙搬送経路ＦＲ２とは異なる第３用紙搬送経路ＦＲ３と、を備えている。
【００３６】
尚、本実施形態において第１用紙搬送経路ＦＲ１は、搬送駆動ローラー１６と第１排出駆動ローラー４１との間の用紙搬送経路とする。また第２用紙搬送経路ＦＲ２は、従動ローラー１４ｄを経由する、搬送駆動ローラー１６と従動ローラー１４ａとの間の用紙搬送経路とする。また第３用紙搬送経路ＦＲ３は、反転駆動ローラー４３を経由する、第２排出駆動ローラー４７と従動ローラー１４ａとの間の用紙搬送経路とする。また反転経路ＲＲは、従動ローラー１４ａと従動ローラー１４ｃとの間の用紙搬送経路とする。尚、図２において第４用紙搬送経路ＦＲ４は、従動ローラー１４ｃと搬送駆動ローラー１６との間の用紙搬送経路である。
【００３７】
用紙給送経路Ｋ１において、記録用紙は給送ローラー１１により給送される。給送ローラー１１は揺動軸１２ａを中心に揺動する支持部材１２に支持され、支持部材１２の揺動により給送ローラー１１が第１用紙カセット５１に収容される記録用紙Ｐに対して進退する。  
第１用紙カセット５１の下に設けられた第２用紙カセット５２（図３において不図示）にも同様な給送機構（不図示）が設けられている。
【００３８】
反転ローラー２１は他のローラーに比して最も大径に形成され、記録用紙を湾曲反転させる。反転ローラー２１の周囲には従動ローラー１４ａ、１４ｂ、１４ｃ、１４ｄ、が設けられている。用紙給送経路Ｋ１、Ｋ２を介して給送される記録用紙は、反転経路ＲＲ、及び第４用紙搬送経路ＦＲ４を介して搬送駆動ローラー１６に送られる。
【００３９】
次に、用紙給送経路Ｋ３において、セットされた記録用紙はホッパー５８と用紙サポート５９（図２参照）とで支持される。ホッパー５８は不図示のモーターにより、図３では描画領域外に位置する不図示の揺動軸を中心に揺動し、揺動することにより、支持した記録用紙を給送ローラー５６に対して進退させる。  
給送ローラー５６は、不図示のモーターにより駆動され、ホッパー５８により押し上げられた記録用紙を下流に送る。給送ローラー５６に対し鉛直下方には給送ローラー５６との間で記録用紙をニップして分離する分離ローラー５７が設けられている。分離ローラー５７には、不図示のトルクリミッターによって所定の回転抵抗が付与されている。また分離ローラー５７は、給送ローラー５６に対して進退可能であるとともに、不図示のばねによって給送ローラー５６に向けて押圧されている。図３は、分離ローラー５７が給送ローラー５６から離間した状態である。  
用紙給送経路Ｋ３を介して給送される記録用紙は、第４用紙搬送経路ＦＲ４を介して搬送駆動ローラー１６に送られる。
【００４０】
尚、第２用紙搬送経路ＦＲ２を介して−Ｙ方向に沿って送られる記録用紙も、反転経路ＲＲ、及び第４用紙搬送経路ＦＲ４を介して搬送駆動ローラー１６に送られる。
【００４１】
不図示の駆動源により駆動される搬送駆動ローラー１６に送られた記録用紙は、この搬送駆動ローラー１６と、従動回転する搬送従動ローラー１７とによってニップされ、記録ヘッド９と対向する領域、即ち記録領域に送られ、記録が行われる。
【００４２】
記録ヘッド９を備えるキャリッジ８は、Ｘ軸方向に延びるキャリッジガイド軸１９にガイドされつつ、不図示の動力源によってＸ軸方向に往復動する。記録ヘッド９は、キャリッジ８の移動動作に伴い、記録用紙に対してインクを吐出する。
【００４３】
記録ヘッド９と対向する位置には支持部材１８が設けられており、記録ヘッド９により記録の行われる記録用紙は、支持部材１８によって支持される。  
支持部材１８の下流には、記録の行われた記録用紙を下流に送る、回転駆動される第１排出駆動ローラー４１と、従動回転する第１排出従動ローラー４２とが設けられている。第１排出駆動ローラー４１と、従動回転する第１排出従動ローラー４２は、記録ヘッド９の下流に最初に位置するローラー対である。  
そして更にその下流には、回転駆動される第２排出駆動ローラー４７と、従動回転する第２排出従動ローラー４８とが設けられている。
【００４４】
以下、第２用紙搬送経路ＦＲ２及び第３用紙搬送経路ＦＲ３並びに反転経路ＲＲについて更に説明する。  
第１面に記録の行われた記録用紙の、前記第１面に対し反対側の第２面に記録を行う際、記録の行われた記録用紙を、反転経路ＲＲに送る。その際の用紙搬送経路として、第２用紙搬送経路ＦＲ２、及び第３用紙搬送経路ＦＲ３のいずれかを選択できる。
【００４５】
第３用紙搬送経路ＦＲ３の経路長は、第２用紙搬送経路ＦＲ２の経路長より長く、従ってプリンター１の制御部（不図示）は、用紙長の閾値を持ち、記録用紙の長さが閾値を超える場合には第３用紙搬送経路ＦＲ３を選択し、記録用紙の長さが閾値未満の場合には第２用紙搬送経路ＦＲ２を選択する。
【００４６】
第２用紙搬送経路ＦＲ２を利用する場合、第１面に記録が完了した後、搬送駆動ローラー１６、第１排出駆動ローラー４１、第２排出駆動ローラー４７、のこれらを逆転させる。これにより記録用紙は第２用紙搬送経路ＦＲ２を−Ｙ方向に沿って搬送され、反転経路ＲＲに到達する。
【００４７】
第３用紙搬送経路ＦＲ３を利用する場合、第１面に記録が完了した後、用紙後端が第２排出駆動ローラー４７の上流近傍に設けられた従動ローラー４９に到達するまで＋Ｙ方向に沿って搬送し、その後、第２排出駆動ローラー４７を逆転させる。従動ローラー４９の上流には揺動軸３９ａを中心に揺動可能なフラップ３９が設けられており、第３用紙搬送経路ＦＲ３に記録用紙を送る場合、フラップ３９の＋Ｙ方向端部を上に上げる。これにより記録用紙は第３用紙搬送経路ＦＲ３に送り込まれ、反転経路ＲＲに送られる。
【００４８】
続いて、スキャナー部７０の構成、特にスキャナー部７０を構成する本体部７１について図３以降を参照して説明する。尚、図４、図５、図６では、図示の便宜上、原稿台ガラス７７は図示を省略している。  
スキャナー部７０の本体部７１は、原稿を載置する原稿載置部としての原稿台ガラス７７、及び原稿台ガラス７７に対しＸ軸方向に移動しつつ原稿を読み取る読み取り手段としてのセンサーユニット７８を備えている。
【００４９】
センサーユニット７８はＹ軸方向に延設され、不図示のばねによって原稿台ガラス７７の下側から、原稿台ガラス７７の下面に押し当たっている。センサーユニット７８には光学縮小方式（CCD方式）や密着センサー方式（CIS方式）を採用でき、本実施形態では密着センサー方式（CIS方式）を採用する。
【００５０】
センサーユニット７８を含む、本体部７１の各構成要素は、ハウジング８６に収容されている。ハウジング８６は箱状体であり、内側底部にＸ軸方向に延びるガイドレール部８６ａを一体的に有し、ガイドレール部８６ａによってセンサーユニット７８をＸ軸方向に案内する。  
センサーユニット７８は駆動ベルト８４の一部に固定され、駆動ベルト８４が動くことにより、センサーユニット７８がＸ軸方向に牽引される。
【００５１】
駆動ベルト８４は、本実施形態ではモーター８０によって駆動される駆動プーリー８２と、従動回転する従動プーリー８３と、＋Ｘ方向の端部に設けられた、図４〜図６では表れていないもう一つの従動プーリーと、のこれら３つのプーリーに掛け回されている。  
ハウジング８６には図３、図７に示す様に鉛直下方に突出する突出部８６ｊが形成されており、突出部８６ｊの内側に形成された凹部８６ｅ（図６参照）に、モーター８０を含む駆動部７９が収容されている。尚、凹部８６ｅは、後述する第２底面８６ｋに対して−Ｘ方向に位置している。  
駆動部７９は、モーター８０と、モーター８０から駆動プーリー８２に駆動力を伝達する歯車８１と、モーター８０の回転を検出する回転検出手段８９と、を備えて成る。
【００５２】
突出部８６ｊは、その内部に、図７に示す様にハウジング８６においてガイドレール部８６ａが設けられた第１底面８６ｂより一段低い第２底面８６ｋを形成し、この第２底面８６ｋと、その−Ｙ方向に設けられた傾斜面８６ｄに、図５に示す様にフレキシブルフラットケーブル８７が配設される。以下、「フレキシブルフラットケーブル」の用語は「ＦＦＣ」と略称する。ＦＦＣ８７は、センサーユニット７８と不図示の制御基板とを接続し、電気信号を送受信する為のケーブルである。
【００５３】
より詳しくは、ＦＦＣ８７は、図５に示す様に第２底面８６ｋに設けられたケーブル固定部８８で固定されており、このケーブル固定部８８から、第１方向である＋Ｘ方向に延び、湾曲反転して第２方向である−Ｘ方向に延びてセンサーユニット７８に接続され、センサーユニット７８の移動に伴って変形する変形区間８７ｂを備えている。また、ＦＦＣ８７は、ケーブル固定部８８から一旦−Ｘ方向及び−Ｙ方向に延び、折り返して＋Ｘ方向に延びる固定区間８７ａを有している。  
図５において符号８７ｃは、湾曲反転部を示しており、符号８７ｄは、折り返し部を示している。  
固定区間８７ａは、変形区間８７ｂに対し、後方給送部５５（図３参照）に近い−Ｙ方向寄りに設けられている。
【００５４】
変形区間８７ｂは、湾曲反転部８７ｃとケーブル固定部８８との間で第２底面８６ｋに接しており、また湾曲反転部８７ｃとセンサーユニット７８との間で、原稿台ガラス７７（図３参照）の下面に接している。そしてセンサーユニット７８の移動に伴い、湾曲反転部８７ｃの位置がＸ軸方向に沿って変化する。
【００５５】
ここで、ハウジング８６に形成された突出部８６ｊの内側には、上述したように第２底面８６ｋに対して傾斜角を有する傾斜面８６ｄが形成されており、固定区間８７ａ、より具体的には折り返し部８７ｄから＋Ｘ方向に延びる固定区間８７ａが、傾斜面８６ｄに沿って配されている。
【００５６】
次に、ハウジング８６の外側において、−Ｙ方向には図７に示す様に凹部８６ｈが形成されており、この凹部８６ｈに、給送ローラー５６が入り込んだ状態となる。  
また、突出部８６ｊの下側には、Ｘ軸方向に延びるリブ８６ｇ、８６ｆが形成されており、ハウジング８６は突出部８６ｊが形成されるとともに更にリブ８６ｇ、８６ｆが形成されることで、Ｘ軸方向の剛性が向上されている。尚、本実施形態においてハウジング８６は、全体が樹脂材料によって一体的に形成されている。
【００５７】
以上の様に構成されたプリンター１の特徴について、以下主として図８及び図９を参照しつつ詳説する。尚、図８及び図９では説明に必要のない構成は図示を省略し、また逆に便宜上図２では図示を省略した構成を示している。  
プリンター１は、キャリッジ８が、後方給送部５５に対し＋Ｙ方向に所定の間隔を置いて設けられている。  
そしてスキャナー部７０は、センサーユニット７８を収容するハウジング８６と、センサーユニット７８に接続されるとともにセンサーユニット７８の移動に伴って変形するＦＣ８７とを備え、ハウジング８６は鉛直下方に突出する突出部８６ｊを有している。そして突出部８６ｊの内部に形成された領域にＦＦＣ８７が配置され、突出部８６ｊが、Ｙ軸方向における後方給送部５５とキャリッジ８の移動領域との間の領域に上から入り込んでいる。  
突出部８６ｊの内部に形成された領域は、図８において破線及び符号Ａｒ１で示されている。またＹ軸方向において後方給送部５５とキャリッジ８の移動領域との間に形成された領域は、図８において破線及び符号Ａｒ２で示されている。尚、二点鎖線及び符号Ａｒ３で示された領域は、図６を参照しつつ説明した、凹部８６ｅ即ち駆動部７９が収容される領域である。  
ハウジング８６の突出部８６ｊは、ハウジング８６の裏面８６ｍから鉛直下方に突出する部分であり、図示するように領域Ａｒ２に上から入り込んでいる。
【００５８】
この様な構成により、ＦＦＣ８７が湾曲反転する際の半径、つまり湾曲反転部８７ｃ（図５参照）の半径を確保でき、ひいてはセンサーユニット７８がＦＦＣ８７から受ける反力を抑制でき、また、ＦＦＣ８７の寿命を延ばすことができる。  
そして突出部８６ｊは、領域Ａｒ２に上から入り込むので、突出部８６ｊに起因する、装置全体の鉛直方向寸法の増大を抑制できる。
【００５９】
次に、後方給送部５５は給送ローラー５６を備え、給送ローラー５６の少なくとも一部とスキャナー部７０の一部とが、Ｙ軸方向及び鉛直方向において同じ範囲にある。  
より具体的には、図９において直線Ｌ１は、スキャナー部７０の本体部７１において−Ｙ方向端部に位置するフレーム９０の背面９０ａを通る垂直線であり、給送ローラー５６の一部は垂直線Ｌ１よりも＋Ｙ方向に位置している。即ち、給送ローラー５６の少なくとも一部とスキャナー部７０の一部とが、Ｙ軸方向において同じ範囲にあり、この範囲は符号Ｗ１で示されている。  
また水平線Ｌ４は突出部８６ｊの最も鉛直下方の位置を通る水平線であり、給送ローラー５６は全体が水平線Ｌ４より＋Ｚ方向に位置している。  
以上の様に、給送ローラー５６の少なくとも一部とスキャナー部７０の一部とが、Ｙ軸方向及び鉛直方向において同じ範囲にあるので、装置全体の鉛直方向における寸法、及びＹ軸方向の寸法を抑制できる。  
尚、給送ローラー５６は、全体が垂直線Ｌ１より＋Ｙ方向に位置していても良い。また給送ローラー５６は、全体が水平線Ｌ４より上側に位置せず、一部だけが水平線Ｌ４より上側に位置していても良い。
【００６０】
尚、給送ローラー５６の少なくとも一部とセンサーユニット７８は、Ｙ軸方向において範囲Ｗ３において同じ範囲にある。
【００６１】
また本実施形態では、後方給送部５５の一部である給送ローラー５６の一部が、スキャナー部７０の後側面つまり背面９０ａを延長した仮想面（垂直線Ｌ１で示される）と、スキャナー部７０における、背面９０ａの近傍位置の後側底面である第２底面８６ｋを延長した仮想面（図９で直線Ｌ１で示される）と、が交差する交差位置（符号Ｇで示される）よりも、スキャナー部７０の内側に配置される。これにより、装置全体の小型化を図ることができる。
【００６２】
また、図７に示した様にハウジング８６の一部に凹部８６ｈが形成され、凹部８６ｈに給送ローラー５６が入り込むことで（図９参照）、給送ローラー５６の一部とスキャナー部７０の一部とがＹ軸方向及び鉛直方向において同じ範囲に位置している。  
例えば、給送ローラー５６の少なくとも一部とハウジング８６の一部は、Ｙ軸方向において範囲Ｗ２において同じ範囲にあり、給送ローラー５６の全体とハウジング８６の一部は、鉛直方向において同じ位置にある。  
この様にハウジング８６の一部に凹部８６ｈを形成することで、給送ローラー５６の一部とスキャナー部７０の一部とがＹ軸方向及び鉛直方向において同じ範囲に位置する構成を容易に実現できる。  
尚、給送ローラー５６の全体がハウジング８６の一部とＹ軸方向で同じ位置にあっても良いし、また給送ローラー５６の一部のみがハウジング８６の一部と鉛直方向で同じ位置にあっても良い。
【００６３】
また、分離ローラー５７の少なくとも一部とスキャナー部７０の一部とが、Ｙ軸方向及び鉛直方向において同じ範囲にある。具体的には、図９において範囲Ｕ２で示す様に、分離ローラー５７の一部と突出部８６ｊの一部とが鉛直方向で同じ範囲にある。これにより、装置全体の鉛直方向における寸法をより一層抑制できる。  
尚、分離ローラー５７の全体がスキャナー部７０の一部と鉛直方向で同じ範囲にあっても良い。また、分離ローラー５７の少なくとも一部が、スキャナー部７０の一部とＹ軸方向で同じ範囲にあっても良い。
【００６４】
また、給送ローラー５６の一部とＦＦＣ８７の一部とが、鉛直方向において同じ範囲にある。具体的には、図９において範囲Ｕ１で示す様に、給送ローラー５６の一部とＦＦＣ８７の一部とが、鉛直方向において同じ範囲にある。
【００６５】
また、センサーユニット７８の動力源であるモーター８０の少なくとも一部と、給送ローラー５６の少なくとも一部と、キャリッジ８の一部とが、鉛直方向において同じ範囲にある。具体的には、図９において範囲Ｕ４で示す様に、モーター８０の一部と、給送ローラー５６の一部と、キャリッジ８の一部とが、鉛直方向において同じ範囲にある。これにより、装置全体の鉛直方向における寸法をより一層抑制できる。  
尚、給送ローラー５６の全体がキャリッジ８の一部と鉛直方向において同じ範囲にあっても良いし、モーター８０の全体がキャリッジ８の一部と鉛直方向において同じ範囲にあっても良い
【００６６】
また、ハウジング８６は、突出部８６ｊの内側の第２底面８６ｋに対して＋Ｙ方向とは逆方向の−Ｙ方向に、−Ｙ方向に向かって上昇する傾斜面８６ｄを有し、傾斜面８６ｄの裏面側、つまり後方側に、後方給送部５５の一部である給送ローラー５６が配置される。
【００６７】
また、図５に示す様に突出部８６ｊの内側の第２底面８６ｋに、ＦＦＣ８７の一部を固定するケーブル固定部８８が設けられ、ＦＦＣ８７は、ケーブル固定部８８からセンサーユニット７８の移動方向の一方向である第１方向、本実施形態では＋Ｘ方向に延び、湾曲反転して第１方向とは逆の第２方向、本実施形態では−Ｘ方向に延びてセンサーユニット７８に接続され、センサーユニット７８の移動に伴って変形する変形区間８７ｂを有している。また、ＦＦＣ８７は、ケーブル固定部８８から一旦−Ｘ方向に延び、折り返して＋Ｘ方向に延びる固定区間８７ａを有している。  
固定区間８７ａは、図９に示す様に変形区間８７ｂより後方給送部５５に近い位置に配置され、ＦＦＣ８７の固定区間８７ａが、傾斜面８６ｄに沿って配される。
【００６８】
つまり、固定区間８７ａを変形区間８７ｂに並べて配置する場合、固定区間８７ａにおいてＦＦＣ８７を縦方向に配置すると、突出部８６ｊの鉛直下方への突出量が必要以上に大きくなる場合があり、また逆に固定区間８７ａにおいてＦＦＣ８７を横方向に配置すると、突出部８６ｊの水平方向寸法が必要以上に大きくなる場合がある。  
しかしながら上述のように、ハウジング８６は、突出部８６ｊの内側において第２底面８６ｋに対し傾斜角を有する傾斜面８６ｄを有し、ＦＦＣ８７の固定区間８７ａが、傾斜面８６ｄに沿って配されるので、突出部８６ｊの鉛直下方への突出量と、水平方向寸法とのバランスを取ることができ、ひいては装置寸法増大を抑制できる。
【符号の説明】
【００６９】
１…インクジェットプリンター、２…記録ユニット、４…排出口、５…操作部、６…排出トレイ、７…カバー、８…キャリッジ、９…記録ヘッド、１１…給送ローラー、１２…支持部材、１４ａ〜１４ｄ…従動ローラー、１６…搬送駆動ローラー、１７…搬送従動ローラー、１８…支持部材、１９…キャリッジガイド軸、２１…反転ローラー、３９…フラップ、４１…第１排出駆動ローラー、４２…第１排出従動ローラー、４３…反転駆動ローラー、４４…反転従動ローラー、４７…第２排出駆動ローラー、４８…第２排出従動ローラー、４９…従動ローラー、５１…第１用紙カセット、５２…第２用紙カセット、５５…後方給送部、５６…給送ローラー、５７…分離ローラー、５８…ホッパー、５９…用紙サポート、７０…スキャナー部、７１…本体部、７２…自動原稿搬送装置、７４…給送トレイ、７５…排出トレイ、７７…原稿台ガラス、７８…センサーユニット、７９…駆動部、８０…モーター、８１…歯車、８２…駆動プーリー、８３…従動プーリー、８４…駆動ベルト、８６…ハウジング、８６ａ…ガイドレール部、８６ｂ…第１底面、８６ｃ…低位置部、８６ｄ…傾斜面、８６ｅ…凹部、８６ｆ、８６ｇ…リブ、８６ｈ…凹部、８６ｊ…突出部、８６ｋ…第２底面、８６ｍ…裏面、８７…フレキシブルフラットケーブル、８７ａ…固定区間、８７ｂ…変形区間、８７ｃ…湾曲反転部、８７ｄ…折り返し部、８８…ケーブル固定部、８９…回転検出手段、９０…フレーム、９０ａ…背面、
Ｋ１、Ｋ２、Ｋ３…用紙給送経路、ＦＲ１…第１用紙搬送経路、ＦＲ２…第２用紙搬送経路、ＦＲ３…第３用紙搬送経路、ＲＲ…反転経路
【図１】
2020156011.tif 000003
【図２】
2020156011.tif 000004
【図３】
2020156011.tif 000005
【図４】
2020156011.tif 000006
【図５】
2020156011.tif 000007
【図６】
2020156011.tif 000008
【図７】
2020156011.tif 000009
【図８】
2020156011.tif 000010
【図９】
2020156011.tif 000011